(57)【特許請求の範囲】
【請求項１】
奥屋根に回動自在に取り付けられた鍵盤蓋の開閉を制御するための鍵盤楽器の鍵盤蓋開閉装置であって、
前記鍵盤蓋は、一方の側面に後方および下方に開放する切欠き部と、前記切欠き部の上方を覆うつば部を有し、
前記つば部との間に間隙を形成した状態で前記鍵盤蓋の前記切欠き部に固定されたステー金具を一端部に有するリンク機構と、
前記切欠き部の前記間隙よりも前方にねじ込まれ、前記ステー金具を前記切欠き部に固定する取付けねじと、
前記奥屋根に取り付けられるとともに、前記リンク機構の他端部が連結され、前記鍵盤蓋が閉方向に回動するときに、前記リンク機構を介して前記鍵盤蓋を制動する緩衝器と、
を備えていることを特徴とする鍵盤楽器の鍵盤蓋開閉装置。
【請求項２】
前記ステー金具は、前記鍵盤蓋の裏面に固定され、前記鍵盤蓋を補強する鍵盤蓋固定部を有することを特徴とする、請求項１に記載の鍵盤楽器の鍵盤蓋開閉装置。
【請求項３】
前記鍵盤蓋は、裏面に左右方向に延びる溝を有し、蝶番を介して前記奥屋根に取り付けられており、前記ステー金具は、前記溝に挿入され、前記鍵盤蓋の背面からねじ込まれたねじにより前記蝶番を前記鍵盤蓋に固定する蝶番固定部を有することを特徴とする、請求項１または２に記載の鍵盤楽器の鍵盤蓋開閉装置。
【発明の詳細な説明】
【０００１】
【発明の属する分野】
本発明は、アップライトピアノなどの回動式の鍵盤蓋の開閉を制御する鍵盤楽器の鍵盤蓋開閉装置に関する。
【０００２】
【従来の技術】
図８および図９は、従来のアップライトピアノの鍵盤蓋開閉装置の一例を示している。両図に示すように、鍵盤蓋２は、その背面が蝶番９を介して、奥屋根３に回動自在に連結されており、この蝶番９を中心として、開閉される。また、奥屋根３の裏面の左端部には、ワンウェイトルク式の回転ダンパー８が固定されている。鍵盤蓋２の左側面には、ステー金具４を取り付けるための切欠き部２ａが、鍵盤蓋２の後方および下方に開放するように、またステー金具４の形状に合致するように形成されており、ステー金具４は、その切欠き部２ａに取付けねじ５により固定されている。また、鍵盤蓋２の切欠き部２ａの上方には、これを覆うつば部２ｂが形成されている。そして、ステー金具４の一端部は、リンクバー１０および１１を介して回転ダンパー８と連結されている。以上の構成により、鍵盤蓋２の閉動作の際に回転ダンパー８を作用させることで鍵盤蓋２の閉じる速度を遅くし、図示しない口棒に強く衝突して鍵盤蓋２や口棒が損傷したり、鍵盤蓋２と口棒の間に指を挟んで怪我をしたりすることを防止している。
【０００３】
【発明が解決しようとする課題】
しかし、前記従来の鍵盤蓋開閉装置４０では、鍵盤蓋２の開閉動作の際にステー金具４に大きな負荷が作用する。このため急激な開閉動作を行ったり、調律などのために鍵盤蓋２や奥屋根組立品を取り外したりするときに、ステー金具４が取り付けられている鍵盤蓋２が負荷に耐えられず、割れが発生してしまうことがある。
【０００４】
具体的には、鍵盤蓋２の開動作の際に、ステー金具４に上向きの負荷が作用し、ステー金具４の側面が鍵盤蓋２のつば部２ｂを圧迫することにより、すなわちステー金具４からの押圧により、つば部２ｂから蝶番９が取り付けられている鍵盤蓋２の背面にわたって平面方向に裂けるようにして割れが発生してしまうことがある。また、アップライトピアノなどでは、調律などの際に奥屋根３が取り外され、開いた状態の鍵盤蓋２を奥屋根３で支えることができなくなるため、同様の割れが生じやすい。あるいは閉動作の際に、ステー金具４に下向きの負荷が作用し、さらに取付けねじ５を介して鍵盤蓋２にせん断力として作用する結果、鍵盤蓋２の平面方向に割れが発生してしまうことがある。特に、リンクバー１０との連結点から近い位置に取り付けた取付けねじ５からは、大きなせん断力が作用するので、その部分から、取付けねじ５からのせん断力による割れが発生しやすい。
【０００５】
本発明は、このような課題を解決するためになされたものであり、鍵盤蓋の開閉動作の際、急激な操作などによりステー金具に大きな負荷が作用したときでも、鍵盤蓋の割れによる破損を防止することができる鍵盤楽器の鍵盤蓋開閉装置を提供することを目的としている。
【０００６】
【課題を解決するための手段】
この目的を達成するために、本発明の請求項１に係る鍵盤楽器の鍵盤蓋開閉装置は、奥屋根に回動自在に取り付けられた鍵盤蓋の開閉を制御するための鍵盤楽器の鍵盤蓋開閉装置であって、鍵盤蓋は、一方の側面に後方および下方に開放する切欠き部と、切欠き部の上方を覆うつば部を有し、つば部との間に間隙を形成した状態で鍵盤蓋の切欠き部に固定されたステー金具を一端部に有するリンク機構と、切欠き部の間隙よりも前方にねじ込まれ、ステー金具を切欠き部に固定する取付けねじと、奥屋根に取り付けられるとともに、リンク機構の他端部が連結され、鍵盤蓋が閉方向に回動するときに、リンク機構を介して鍵盤蓋を制動する緩衝器と、を備えていることを特徴とする。
【０００７】
この鍵盤楽器の鍵盤蓋開閉装置では、リンク機構の一端部のステー金具が、鍵盤蓋の一方の側面に形成した切欠き部に、切り欠き部の上方のつば部との間に間隙を形成した状態で固定される。それにより、ステー金具とつば部が接することが回避されることで、鍵盤蓋の開動作の際や、調律などのために奥屋根を取り外した際に、ステー金具に生じる負荷が直接つば部に伝達されることを防止することができる。したがって、鍵盤蓋の開動作の際などのステー金具の押圧による割れが生じることを防止することができる。
【０００８】
また、ステー金具を取り付ける取付けねじが、間隙よりも前方の位置、すなわちステー金具の、リンクバーとの連結点からより遠い位置に配置されるので、鍵盤蓋の開閉動作の際に、ステー金具から取付けねじを介して鍵盤蓋に作用するせん断力を小さくすることができ、その結果、取付けねじからのせん断力による割れを防止することができる。
【０００９】
請求項２に係る発明は、請求項１に係る鍵盤楽器の鍵盤開閉装置において、ステー金具は、鍵盤蓋の裏面に固定され、鍵盤蓋を補強する鍵盤蓋固定部を備えていることを特徴とする。
【００１０】
本発明によれば、ステー金具に、鍵盤蓋の裏面に固定される鍵盤蓋固定部を設けることで、ステー金具は、鍵盤蓋の側面だけでなく、裏面にも固定される。それにより、鍵盤蓋の開閉動作の際にステー金具に作用する負荷を、鍵盤蓋の側面に加えて、鍵盤蓋固定部を介して裏面にも分散させた状態で支持することが可能となり、鍵盤蓋に割れが生じることを確実に防止することができる。
【００１１】
請求項３に係る発明は、請求項１または２に係る鍵盤楽器の鍵盤開閉装置において、鍵盤蓋は、裏面に左右方向に延びる溝を有し、蝶番を介して奥屋根に取り付けられており、ステー金具は、溝に挿入され、鍵盤蓋の背面からねじ込まれたねじにより蝶番を鍵盤蓋に固定する蝶番固定部を備えていることを特徴とする。
【００１２】
鍵盤蓋は、その左右方向の全体にわたって、蝶番を介して奥屋根に回動自在に取り付けられるのに対し、前記リンク機構は鍵盤蓋の一側面に取り付けられるため、すなわち片持ちの状態であるため、鍵盤蓋の開閉動作を繰り返すと、蝶番のリンク機構付近の部分が次第に鍵盤蓋から抜けることがある。本発明によれば、蝶番は、ステー金具に設けた蝶番固定部を、鍵盤蓋の裏面の左右方向に延びる溝に挿入するとともに、鍵盤蓋の背面からこの蝶番固定部にねじ込んだねじによって、鍵盤蓋に固定される。それにより、蝶番の鍵盤蓋からの抜けを防止することができる。
【００１３】
また、鍵盤蓋の開閉動作の際にステー金具に作用する負荷を、鍵盤蓋の側面に加えて、蝶番固定部にも分散させた状態で支持することが可能となり、鍵盤蓋に割れが生じることを確実に防止することができる。さらに鍵盤固定部がステー金具と一体であるので、部品点数を削減することができる。
【００１４】
【発明の実施の形態】
以下、本発明の実施形態を、図面を参照しながら説明する。図１および図２は、本発明の第１実施形態によるアップライトピアノの鍵盤蓋開閉装置を示している。なお、この鍵盤蓋開閉装置１の基本的な構成は、すでに説明した図７および図８の従来の鍵盤蓋開閉装置４０と同じであるので、図１以降の図面では、従来と同様の構成要素について同一の参照番号を付している。
【００１５】
鍵盤蓋２および奥屋根３は、ラワンの薄い板を張り合わせた合板などから成り、鍵盤蓋２は、その背面および奥屋根３の前面に左右方向の全体にわたって固定された蝶番９を介して、奥屋根３に回動自在に取り付けられている。また、鍵盤蓋２の裏面の左端部の奥側には、左右方向に延びる溝６が設けられており、蝶番９を鍵盤蓋２に固定するための蝶番固定金具７が挿入されている。これに対応して、鍵盤蓋２には、その背面から溝６まで貫通するように、例えば３つのねじ挿入孔（図示せず）が形成されており、これらのねじ挿入孔に、鍵盤蓋２の背面から挿入した長ねじ７ａ（ねじ）を、蝶番固定金具７に設けられたねじ孔（図示せず）にねじ込み、蝶番９と蝶番固定金具７の間に鍵盤蓋２を挟み付けた状態で締め付けることによって、蝶番９が鍵盤蓋２に固定されている。
【００１６】
鍵盤蓋開閉装置１は、鍵盤蓋２が閉方向に回動するときに鍵盤蓋２を制動する回転ダンパー８（緩衝器）と、鍵盤蓋２と回転ダンパー８を連結するリンク機構１２とを備えている。
【００１７】
回転ダンパー８は、オイルが充填された円筒形のケーシング８ａと、ケーシング８ａに回動自在に嵌め合わされた軸部８ｂとを有するワンウェイトルク式の油圧ダンパーで構成され、ケーシング８ａの部分が、奥屋根３の裏面の左端部に固定されている。そして、回転ダンパー８は、軸部８ｂが反時計方向に回動するときのみ制動を加え、逆方向への回動に対しては制動を行わず、無負荷となるように構成されている。
【００１８】
リンク機構１２は、回転ダンパー８側から順に、互いに回動自在に連結されたリンクバー１１、１０およびステー金具４で構成されている。このステー金具４は、鍵盤蓋２の切欠き部２ａに取付けねじ５で固定され、リンクバー１１の一端部は、回転ダンパー８の軸部８ｂの中心に固定されている。
【００１９】
ステー金具４が取り付けられる上記切欠き部２ａは、鍵盤蓋２の左側面に設けられており、ステー金具４の厚さと同じ深さで、鍵盤蓋２の後方および下方に開放するように、また、ステー金具４の形状とほぼ合致するように形成されている。さらに、鍵盤蓋２の切欠き部２ａの上側にはつば部２ｂが形成されている。このつば部２ｂは、鍵盤蓋２を閉じたときに、切欠き部２ａに取り付けられたステー金具４を覆い、外部から見えないようにするためのものである。
【００２０】
ステー金具４の上面の、リンクバー１０に近い部分には、ステー金具４の長さ方向に沿って、切欠き４ａが形成されている。ステー金具４は、切欠き４ａよりも前側の位置で、すなわち、ステー金具４とリンクバー１０との連結点からより遠い位置で、例えば３本の取付けねじ５によって、鍵盤蓋２の切欠き部２ａに固定されている。この状態において、ステー金具４と鍵盤蓋２のつば部２ｂの間には、ステー金具４の切欠き４ａにより、鍵盤蓋２の後方に開放する間隙が形成されている。
【００２１】
次に、上記構成の鍵盤蓋制御装置１の動作を説明する。図３（ａ）は、鍵盤蓋２が閉位置にある状態を示している。この閉位置では、鍵盤蓋１は、時計方向に最大限回動した状態であり、その前部が口棒（図示せず）に接しており、また、鍵盤蓋２にリンク機構１２を介して連結された回転ダンパー８の軸部８ｂは、反時計方向に最大限回動している。この閉位置から鍵盤蓋２を引き起こすようにすると、鍵盤蓋２が蝶番９を中心として回動する。これに伴い、回転ダンパー８の軸部８ｂは、リンク機構１２により、時計方向に回動することによって、鍵盤蓋２は最終的に、図３（ｂ）の開位置に達する。前述したように、この開位置方向への回動中は、回転ダンパー８の制動力が作用しないので、容易に鍵盤蓋２を開くことができる。
【００２２】
また、図３（ｂ）に示す開位置から、鍵盤蓋２を手前側に倒すようにすると、鍵盤蓋２は蝶番９を中心として時計方向に回動する。このとき、鍵盤蓋２には、リンク機構１２を介して回転ダンパー８の制動力が作用し、この制動力により、鍵盤蓋２の回動が減速され、ゆっくりと安全に閉じ、鍵盤蓋２の前部が口棒に突き当たることで停止し、閉状態となる。
【００２３】
また、鍵盤蓋２のつば部２ｂとステー金具４の間に、前述した間隙が形成されていて、鍵盤蓋２の側面の後端部で、つば部２ｂとステー金具４が直接接することがないので、鍵盤蓋２の開動作の際、ステー金具４に作用する上向きの負荷によりステー金具４が直接つば部２ｂを圧迫することを防止できる。したがって、ステー金具４からの押圧による鍵盤蓋２の割れを防止することができる。さらに、ステー金具４を鍵盤蓋２に固定するための取付けねじ５が、ステー金具４とリンクバー１０との連結点からより遠い位置に配置されているので、鍵盤蓋２の開閉動作の際、ステー金具４に作用し、取付けねじ５を介して鍵盤蓋２に伝達されるせん断力を低減させることができる。これにより、取付けねじ５からのせん断力による割れを防止することができる。また、回転ダンパー８に近い鍵盤蓋２の部分で蝶番固定金具７を用いて、蝶番９を鍵盤蓋２に強固に固定しているため、鍵盤蓋２の開閉動作の反復による蝶番９の鍵盤蓋２からの抜けを防止できる。
【００２４】
図４および図５は、本発明の第２実施形態によるアップライトピアノの鍵盤蓋開閉装置２０を示している。なお、本実施形態および後述する第３実施形態の説明では、第１実施形態と同様の構成要素については同一の符号を付し、その詳細な説明については適宜省略する。本実施形態では、ステー金具４は、鍵盤蓋２の裏面側の側面から直角に延びる鍵盤蓋固定部４ｂを一体に備えている。この鍵盤蓋固定部４ｂは、ステー金具４が第１実施形態と同様にして取付けねじ５によって鍵盤蓋２の左側面の切欠き部２ａに固定されたときに、鍵盤蓋２の裏面の溝６よりも前側を右方向に延びるようになっており、複数のねじ２１で鍵盤蓋２の裏面に固定されている。他の構成は、第１実施形態と同様である。
【００２５】
上述した構成により、本実施形態においては、鍵盤蓋２の開閉動作の際に、ステー金具４に作用し、取付けねじ５を介して鍵盤蓋２に伝達されるせん断力を、鍵盤蓋２の左側面に加えて、鍵盤蓋固定部４ｂを介して鍵盤蓋２の裏面に分散させることができる。それにより、取付けねじ５からの、鍵盤蓋２の側面へのせん断力を低減させ、取付けねじ５からのせん断力による鍵盤蓋２の割れを確実に防止することができる。
【００２６】
図６および図７は、本発明の第３実施形態によるアップライトピアノの鍵盤蓋開閉装置３０を示している。本実施形態では、ステー金具４は、第２実施形態と同様の鍵盤蓋固定部４ｂと、鍵盤蓋４ｂから突出する蝶番固定部４ｃを一体に備えている。この鍵盤蓋固定部４ｂは、溝６と重なるように配置されている。また、蝶番固定部４ｃは、前述した蝶番固定金具７の場合と同様に、鍵盤蓋２の背面から挿入した長ねじ７ａを、蝶番固定部４ｃに設けられたねじ孔（図示せず）にねじ込み、蝶番９と蝶番固定部４ｃの間に鍵盤蓋２を挟み付けた状態で締め付けることによって、蝶番９が鍵盤蓋２に固定されている。他の構成は、第１実施形態と同様である。
【００２７】
上述した構成により、本実施形態においては、ステー金具４が鍵盤固定部４ｃを一体に有していることにより、第２実施形態と同様の効果を得ることができる。また、鍵盤蓋２の開閉動作の際にステー金具４に作用し、取付けねじ５を介して鍵盤蓋２に伝わるせん断力を、鍵盤蓋２の左側面に加えて、鍵盤蓋固定部４ｂを介して鍵盤蓋２の裏面および蝶番固定部４ｃに分散させることができる。それにより、取付けねじ５からの、鍵盤蓋２の側面へのせん断力を低減させ、取付けねじ５からのせん断力による鍵盤蓋２の割れを確実に防止することができる。さらに鍵盤固定部４ｃがステー金具４と一体であるので、部品点数を削減することができる。
【００２８】
なお、上述した実施形態においては、回転ダンパー８として、ワンウェイトルク式の油圧ダンパーを用いているが、他の適当な回転ダンパーに代えることも可能である。また、実施形態は、アップライトピアノの鍵盤蓋開閉装置への適用例であるが、グランドピアノや電子ピアノなどの、回動式の鍵盤楽器の鍵盤蓋開閉装置にも適用させることが可能である。
【００２９】
【発明の効果】
以上のように、本発明の鍵盤楽器の鍵盤蓋開閉装置は、鍵盤蓋の開閉動作の際、急激な操作などによりステー金具に大きな負荷が作用したときでも、鍵盤蓋の割れによる破損を防止することができるなどの効果を有する。
【図面の簡単な説明】
【図１】本発明の第１実施形態によるアップライトピアノの鍵盤蓋開閉装置の、鍵盤蓋を開いた状態での左側面図である。
【図２】図１に対応する一部正面図である。
【図３】図１に対応する鍵盤蓋の（ａ）閉状態および（ｂ）開状態の左側面図である。
【図４】本発明の第２実施形態によるアップライトピアノの鍵盤蓋開閉装置の、鍵盤蓋を開いた状態での左側面図である。
【図５】図４に対応する一部正面図である。
【図６】本発明の第３実施形態によるアップライトピアノの鍵盤蓋開閉装置の、鍵盤蓋を開いた状態での左側面図である。
【図７】図６に対応する一部正面図である。
【図８】従来のアップライトピアノの鍵盤蓋開閉装置の、鍵盤蓋を開いた状態での左側面図である。
【図９】図８に対応する一部正面図である。
【符号の説明】
１    鍵盤蓋開閉装置
２    鍵盤蓋
２ａ  切欠き部
２ｂ  つば部
３    奥屋根
４    ステー金具
４ａ  切欠き
４ｂ  鍵盤蓋固定部
４ｃ  蝶番固定部
５    取付けねじ
６    溝
７ａ  長ねじ（ねじ）
８    回転ダンパー（緩衝器）
９    蝶番
１２  リンク機構
２０  鍵盤蓋開閉装置
３０  鍵盤蓋開閉装置
【図１】
0003761810.tif 000002
【図２】
0003761810.tif 000003
【図３】
0003761810.tif 000004
【図４】
0003761810.tif 000005
【図５】
0003761810.tif 000006
【図６】
0003761810.tif 000007
【図７】
0003761810.tif 000008
【図８】
0003761810.tif 000009
【図９】
0003761810.tif 000010